(57)【特許請求の範囲】
【請求項１】
伸縮性生地で円筒状に形成されたサポーター生地本体の外側に袋生地を配置し、前記袋生地の内側に緩衝用パッドを配置し、前記袋生地の周囲は縫製により固定されているサポーターであって、
前記緩衝用パッドは、表面層と裏面層と、前記表面層と裏面層を繋ぐ連結糸を含むダブル編地であり、
前記サポーターはアームガードであり、前記緩衝用パッドは前記アームガードの前面に配置されていることを特徴とするサポーター。
【請求項２】
前記袋生地と前記ダブル編地面とは接着剤により接着固定され、前記サポーター生地本体の生地面と前記ダブル編地面とは接着固定されていない請求項１に記載のサポーター。
【請求項３】
前記ダブル編地は、ダブルラッセル経編地又はダブル丸編地である請求項１又は２に記載のサポーター。
【請求項４】
前記緩衝用パッドは、上部が広く、下部は先細である請求項１〜３のいずれかに記載のサポーター。
【請求項５】
前記緩衝用パッドの厚みは０．１〜４ｍｍである請求項１〜４のいずれかに記載のサポーター。
【請求項６】
前記サポーター生地本体は、シングル編地である請求項１〜５のいずれかに記載のサポーター。
【請求項７】
前記サポーターは、バレーボール用である請求項１〜６のいずれかに記載のサポーター。
【発明の詳細な説明】
【技術分野】
【０００１】
本発明は、バレーボール等のスポーツに好適なサポーターに関する。
【背景技術】
【０００２】
バレーボールのレシーブ時にはボールの衝撃により腕に痛みを感じたり、内出血を起こすことがある。このため、長袖を着用したり、腕用サポーターを着用して対応することがあった。しかし、長袖では衝撃吸収性は低く、暑い季節の着用は向いていなかった。また腕用サポーターも好適なものはなかった。従来、特許文献１にはダブルラッシェル経編生地をサポーターとすることが提案され、特許文献２には丸編生地をサポーターとすることが提案されている。特許文献３には丸編生地を手関節サポーターとすることが提案されている。
【先行技術文献】
【特許文献】
【０００３】
【特許文献１】特開２０１１−１９５９９１号公報
【特許文献２】特開２００３−２４５３０２号公報
【特許文献３】ＷＯ２０１１−０９０１９２号公報
【発明の概要】
【発明が解決しようとする課題】
【０００４】
しかし、前記従来のサポーターは衝撃吸収性とボールコントロール性の両立が困難であるという問題があった。
【０００５】
本発明は、前記従来の問題を解決するため、必要な部分に緩衝用パッドを配置することにより、衝撃吸収性とボールコントロール性が良好なサポーターを提供する。
【課題を解決するための手段】
【０００６】
本発明のサポーターは、伸縮性生地で円筒状に形成されたサポーター生地本体の外側に袋生地を配置し、前記袋生地の内側に緩衝用パッドを配置し、前記袋生地の周囲は縫製により固定されているサポーターであって、前記緩衝用パッドは、表面層と裏面層と、前記表面層と裏面層を繋ぐ連結糸を含むダブル編地であり、前記サポーターはアームガードであり、前記緩衝用パッドは前記アームガードの前面に配置されていることを特徴とする。
【発明の効果】
【０００７】
本発明のサポーターは、伸縮性生地で円筒状に形成されたサポーター生地本体の前面に緩衝用パッドが配置され、前記緩衝用パッドは表面層と裏面層と前記表面層と裏面層を繋ぐ連結糸を含むダブル編地であることにより、バレーボール等の運動に使用したとき、衝撃吸収性とボールコントロール性が良好なサポーターを提供できる。また、サポーター生地本体は伸縮性生地で円筒状に形成されているため、人体の動きに追従し、運動機能を妨げることはない。
【図面の簡単な説明】
【０００８】
【図１】図１は本発明の一実施態様のサポーターの模式的斜視図である。
【図２】図２は同、サポーターの模式的展開図である。
【図３】図３は図２のＩ−Ｉ線断面図である。
【図４】図４は本発明の一実施態様のサポーターに配置している緩衝用パッドの模式的断面図である。
【図５】図５は同、サポーターの使用図である。
【発明を実施するための形態】
【０００９】
本発明のサポーターは、伸縮性生地で円筒状に形成されたサポーター生地本体の前面に緩衝用パッドを配置している。サポーター生地本体の前面に緩衝用パッドを配置することにより、ボールコントロール性を良好に保ったままバレーボールのレシーブをしたり、トスを上げる際に衝撃を吸収できる。緩衝用パッドは、表面層と裏面層と、前記表面層と裏面層を繋ぐ連結糸を含むダブル編地である。このようなダブル編地は強い衝撃が加わっても引き裂き抵抗が高く、壊れたり破れることはなく、かつ軽量で装着しやすい。加えて、通気性があり汗をかいても乾き易い。
【００１０】
本発明者は発泡ポリウレタン、エチレン−ビニルアセテート（ＥＶＡ）樹脂、発泡合成ゴムを試してみたが、引き裂き強度が低く好ましくないことを確認した。また、非発泡又は微発泡のポリウレタン、ＥＶＡ、合成ゴムは比重が高く、重くなり好ましくないことを確認した。
【００１１】
本発明のサポーター生地本体の緩衝用パッドとなるダブル編地を配置する部分は袋状とし、内部に前記ダブル編地を配置し、周囲は縫製により固定されているのが好ましい。この構造により、ダブル編地はサポーター生地本体の袋状部に収められるので一体性が良くなる。加えて、様々な衝撃が加えられても壊れたり破れることはなく、長期間使用できる。
【００１２】
前記サポーター生地本体の袋状部分と前記ダブル編地面とは接着剤により接着固定されており、前記サポーター生地本体の生地面と前記ダブル編地面とは接着固定されていないのが好ましい。これにより、衝撃を受ける面は接着固定されているので、ボールのコントロール性が良好となる。また、ダブル編地面の裏面は接着固定されていないので、サポーター生地本体の編地が皮膚に接し、これにより着用性が良好となる。
【００１３】
前記ダブル編地は、ダブルラッセル経編地又はダブル丸編地であるのが好ましい。このような編地は連結糸が表面層と裏面層に対してほぼ垂直に配列されており、衝撃吸収性が高い。加えて、通気性があり汗をかいても乾き易い。ダブル編地の表面層及び裏面層は、ポリエチレンテレフタレート等の合成繊維糸及び／又は前記合成繊維糸とウレタン繊維糸等の弾性繊維糸を使用できる。弾性繊維糸は裸糸（ベア糸）でもよいし、弾性繊維糸の表面に合繊繊維糸を巻き付けたカバーリング糸でもよい。カバーリング糸はシングルカバーリング糸でもよいし、ダブルカバーリング糸でもよい。弾性糸を入れることにより、伸縮性が出せ運動機能を妨げることがない。ダブル編地の連結糸はポリエチレンテレフタレート等の合成繊維糸を使うのが好ましい。
【００１４】
前記緩衝用パッドは、上部が広く下部は先細の形状であるのが好ましい。このような形状であると、腕の形状に沿っており、着用し易くかつボールを受けやすい。前記において、上部は身体の本体側をいい、下部は身体の本体側から離れた方向をいう。
【００１５】
前記緩衝用パッドの厚みは０．１〜４ｍｍが好ましく、さらに好ましくは０．５〜３．５ｍｍであり、より好ましくは１〜３ｍｍである。この厚さであれば、衝撃吸収性とボールコントロール性の両立が図れる。厚みが０．１ｍｍ未満では衝撃吸収性は低下し、４ｍｍを超えるとボールコントロール性が低下する傾向となる。
【００１６】
前記サポーター生地本体はシングル編地が好ましい。シングル編地は薄くて運動機能を妨げることはない。シングル編地は例えば丸編地があり、編組織はゴム編み等が好ましい。このシングル編地は伸縮性を出すため、ダブル編地の表面層及び裏面層と同様、ポリエチレンテレフタレート等の合成繊維糸及び／又は前記合成繊維糸とウレタン繊維糸等の弾性繊維糸を使用できる。弾性繊維糸は裸糸（ベア糸）でもよいし、弾性繊維糸の表面に合繊繊維糸を巻き付けたカバーリング糸でもよい。カバーリング糸はシングルカバーリング糸でもよいし、ダブルカバーリング糸でもよい。これによりツーウェイ編物とすることができる。
【００１７】
以下図面を用いて説明する。以下の図面において、同一符号は同一物を示す。図１は本発明の一実施態様のサポーターの模式的斜視図である。このサポーター１は、伸縮性生地で円筒状に形成されたサポーター生地本体２の前面に緩衝用パッド３を配置しており、サポーター生地本体２の後側には縫製線４があり、上側には折り返しの縫製線５と下側にも折り返しの縫製線６を有する。
【００１８】
図２は同サポーターの模式的展開図である。台形のサポーター生地本体２の中央に緩衝用パッド３を配置している。この状態で縦斜め線を縫製すると図１の縫製線４となり、円筒形に形成される。
【００１９】
図３は図２のＩ−Ｉ線断面図である。袋生地８にダブル編地７の片面を接着剤層９によって貼り付ける。接着剤層９は例えばホットメルト樹脂からなるフィルム、不織布、ネット、粉等を配置して熱プレスで貼り付けることができる。ホットメルト樹脂はポリエチレン、低融点ポリエステル等様々なものが市販されており、任意に選択できる。袋生地８にダブル編地７の片面を接着剤層９によって貼り付けた後、サポーター生地本体２にダブル編地７の非接着面をのせ、袋生地８の周囲を縫製１０ａ，１０ｂによって固定する。サポーター生地本体２とダブル編地７の間は非接着面のままである。ダブル編地７と袋生地８により緩衝用パッド３が形成される。
【００２０】
図４は同、サポーターに配置している緩衝用パッド３の模式的断面図である。緩衝用パッド３を構成するダブル編地７は、表面層１１と裏面層１２と、これらの面を繋ぐ連結糸１３で構成される。連結糸１３は縦方向に配列されているため、クッション性が良好であり、衝撃吸収性とボールコントロール性は良好である。
【００２１】
図５はバレーボールのアームガードとして着用したときのサポーター１の使用図である。緩衝用パッド３をボールの当たる部分、すなわち前面に配置させて着用する。
【実施例】
【００２２】
以下実施例により本発明を具体的に説明する。なお本発明は下記の実施例に限定されるものではない。
【００２３】
（実施例１）
＜緩衝用パッドとなるダブル編地＞
ダブル編地７の表面層及び裏面層は、ポリウレタン（ＰＵ）スパンデックス弾性フィラメント糸にポリエチレンテレフタレート（ＰＥＴ）マルチフィラメント糸をカバーリングしたカバーリングヤーン（ＰＥＴ糸８８質量％、ＰＵ糸１２質量％、繊度６０decitex）を用い、連結糸はＰＥＴマルチフィラメント糸（繊度６０decitex）を用いて、ダブルラッセル経編機でダブル組織編物を編成した。得られた編物の単位面積当たりの質量（目付）は５４０ｇ／ｍ2、編地の厚さは２．５ｍｍであった。
＜サポーター生地本体及び袋生地＞
サポーター生地本体２及び袋生地８として、ポリウレタン（ＰＵ）スパンデックス弾性フィラメント糸にポリエチレンテレフタレート（ＰＥＴ）マルチフィラメント糸をカバーリングしたカバーリングヤーン（ＰＥＴ糸８８質量％、ＰＵ糸１２質量％、繊度６０decitex）を用いて、丸編機でゴム編組織のシングル編物を編成した。得られた編物の単位面積当たりの質量（目付）は３２０ｇ／ｍ2、編地の厚さは０．５ｍｍであった。
＜サポーターの作製＞
袋生地８にダブル編地７の片面をホットメルト樹脂からなる不織布を配置して熱プレスで接着した。その後、サポーター生地本体２にダブル編地７の非接着面をのせ、袋生地８の周囲を縫製１０ａ，１０ｂによって固定し、緩衝用パッド３を得た。この緩衝用パッド３の形状は図２に示すとおりであり、上部が広く下部は先細の形状（略不等辺三角形）であり、最大幅１００ｍｍ、最大長さ１５２ｍｍであった。その後、図１に示すようにサポーター生地本体２の後側を縫製線４で縫製し、上側は折り返しの縫製線５で縫製し、下側は折り返しの縫製線６で縫製してサポーター１とした。上側の折り返し縫製線５の内部には平ゴムを入れた。サポーター１の大きさは、図１の状態で２つ折りにしたとき、長さ１９ｃｍ、上幅１１ｃｍ、下幅７ｃｍであった。
【００２４】
＜衝撃試験＞
４ｋｇの錘（落下面が直径１４０ｍｍのダンベル形）を高さ３ｃｍの高さから落下させたときの衝撃値で評価した。この衝撃値３回の試験の平均値とし、結果を表１にまとめて示す。
【００２５】
【表１】
0006574687.tif 000002
【００２６】
表１から明らかなとおり、本実施例のサポーターはブランクに比べて２７．５％、サポーター生地との差で１７．６％の衝撃が緩和されていることが確認できた。
【００２７】
＜着用試験＞
週に１〜２回程度の練習をしているバレーボールチームの愛好者５名に本実施例のサポーターを着用してもらい、練習時に使ったときの評価をした。その結果、５名とも、レシーブ時のボールの衝撃による腕に痛みを感ずることは緩和されており、かつボールコントロール性も高いとの回答であった。実際に被験者の腕を確認したところ、３人は内出血を起こしておらず、２人は内出血が軽減されていた。これに対して、サポーター生地のみで作製したサポーターは５名のうち３名がレシーブ時のボールの衝撃による腕に痛みを感ずることがあるとの回答であった。実際に被験者の腕を確認したところ、５名全員が内出血を起こしていた。
実際に被験者の腕を確認したところ、内出血は3人は起こしておらず、残りの2人も内出血が減っていた。
【００２８】
（比較例１〜３）
比較例１としてエチレン−ビニルアセテート（ＥＶＡ）樹脂、比較例２〜３として発泡ポリウレタン（ＰＵフォーム）を、実施例１の緩衝用パッドの代わりにサポーターに貼り付け評価した。これらの結果を実施例１のサポーターとともに表２にまとめて示す。表２中、アスカ―Ｃ硬度は日本ゴム協会標準規格(SRIS0101)に規定されているアスカーＣ硬度を示す。また「運動機能性」の評価基準は次のとおりである。
Ａ：バレーボールのアームサポータとしてきわめて優れる。
Ｂ：バレーボールのアームサポータとして使えるが耐久性等改良の必要がある。
Ｃ：バレーボールのアームサポータとして不適である。
【００２９】
【表２】
0006574687.tif 000003
【００３０】
表２から、本実施例のサポーターは通気性があり、痛みが少なく、レシーブの感覚も狂わず、比較例１〜３のサポーターに比べて運動機能性が高いことが確認できた。
【産業上の利用可能性】
【００３１】
本発明のサポーターは、バレーボール用のアームガードに好適であるが、その他ハンドボールのアームガード、レッグガード、サッカーのレッグガード、野球のアームガード、レッグガード等にも有用である。
【符号の説明】
【００３２】
１  サポーター
２  サポーター生地本体
３  緩衝用パッド
４，５，６  縫製線
７  ダブル編地
８  袋生地
９  接着剤層
１０ａ，１０ｂ  縫製
１１  表面層
１２  裏面層
１３  連結糸
【図１】
0006574687.tif 000004
【図２】
0006574687.tif 000005
【図３】
0006574687.tif 000006
【図４】
0006574687.tif 000007
【図５】
0006574687.tif 000008